(57)【要約】      （修正有）【課題】乗降口部付近では遅く、中間部では速いコンベアステップに同期した中間高速乗客コンベアの違和感のない形態の移動手摺を提供する。【解決手段】移動手摺方向に配され無端状に循環移動するローラチェーン８の２リンク毎の片側に回転自在な手摺ローラ７と、手摺ローラを回転可能に案内するコの字状の手摺ローラガイド５を有し、隣接する手摺ローラ間の中間の１リンクに手摺ローラと反対側に回転自在な補助ローラ１０と、補助ローラを回転可能に案内するコの字状の補助ローラガイド４を有し、手摺ローラ部のローラチェーンのリンクの両外側に手摺側に向けられ回転自在なローラアタッチメント３と、乗客が掴む移動手摺を伸縮自在な弾性体１とし、弾性体に付属した弾性体金具２とを固定し、手摺ローラガイドと補助ローラガイドとの間隔を変化させて隣接する手摺ローラ間の距離をも変化させ弾性体で構成された移動手摺を伸縮させる。【選択図】図３
2009256092.tif 000002
【特許請求の範囲】
【請求項１】
ステップが高速部と低速部を有する乗客コンベアの移動手摺において、上記移動手摺方向に配され無端状に循環移動するローラチェーンの２リンク毎の片側に手摺ローラピンに軸支され回転自在な手摺ローラと、上記手摺ローラを回転可能に案内するコの字状の手摺ローラガイドを有し、隣接する上記手摺ローラの中間の１リンクに上記手摺ローラと反対側に補助ローラピンで軸支され回転自在な補助ローラと、上記補助ローラを回転可能に案内するコの字状の補助ローラガイドを有し、手摺ローラ部の上記ローラチェーンのリンクの両外側に上記手摺ローラピンで軸支され手摺側に向けられ回転自在なローラアタッチメントと、乗客が掴む移動手摺を伸縮自在な弾性体とし、上記弾性体に付属する弾性体金具とを固定し、手摺を側面から見たとき、上記手摺ローラガイドと上記補助ローラガイドの間隔を変化させて隣接する上記手摺ローラ間の距離をも変化させ上記弾性体で構成された上記移動手摺を伸縮させ上記移動手摺の表面部が平滑であることを特徴とした中間高速乗客コンベアの移動手摺装置。
【発明の詳細な説明】
【技術分野】
【０００１】この発明は、中間高速乗客コンベアの移動手摺に関する。
【背景技術】
【０００２】従来の中間高速乗客コンベアの移動手摺について図を用いて説明する。図７は特許文献に示す移動手摺の概略図である。【０００３】図７において、１２は移動ステップと同期して動く移動手摺部で１３の高モジュラス弾性体で覆われ移動手摺部１２と手摺案内レール１０との間隔を変化させてリンク機構も変化し移動手摺体１３のＢ部は低速部では縮み高速部では伸びて、伸縮状態にかかわらず移動手摺体表面は平坦であることを特徴としている。
【特許文献】特許３２４１０６１
【発明の開示】
【発明が解決しようとする課題】
【０００４】しかし上記のように構成した技術では次のような問題がある。手摺案内レールが１本であることから低速部において、手摺移動体と手摺案内レールとの間隔が拡がった場合、走行ローラがない手摺移動体側へ十分な駆動力を伝達できず円滑な走行ができないおそれがある。また距離の長い高速部では、移動手摺体と手摺案内レールの間隔が狭くなるが移動手摺下部のピンと走行ローラの中心が一直線上に並ばず駆動力は分散される。さらに移動手摺の上下方向に装置が大きくなる問題もある。【０００５】本発明は、上記のような問題点を解決することを課題としてなされたものであり簡単な構成で中間高速乗客コンベアのステップの移動速度に同期し乗降口付近では遅く、中間部では速い移動速度とし、安定した走行をする平滑で違和感のない移動手摺を提供することにある。
【課題を解決するための手段】
【０００６】ステップが高速部と低速部を有する乗客コンベアの移動手摺において、移動手摺方向に配され無端状に循環移動するローラチェーンの２リンク毎の片側に手摺ローラピンに軸支され回転自在な手摺ローラと、手摺ローラを回転可能に案内するコの字状の手摺ローラガイドを有し、隣接する手摺ローラ間の中間の１リンクに手摺ローラと反対側に補助ローラピンで軸支され回転自在な補助ローラと、補助ローラを回転可能に案内するコの字状の補助ローラガイドを有し、手摺ローラ部のローラチェーンのリンクの両外側に手摺ローラピンで
軸支され手摺側に向けられ回転自在なローラアタッチメントと、乗客が掴む移動手摺を伸縮自在な弾性体とし、弾性体に付属する弾性体金具とを固定し、移動手摺を側面から見たとき、手摺ローラガイドと補助ローラガイドの間隔を変化させて隣接する手摺ローラ間の距離をも変化させ弾性体で構成された移動手摺を伸縮させる。
【発明の効果】
【０００７】本発明は、ローラチェーンの外側に交互に手摺ローラ、補助ローラを配し各ローラガイドを専用としたことで変速部から低速部、低速部から変速部の走行が円滑になり、また高速部においてはローラチェーンが一直線となるので駆動力も一直線上に働き移動手摺の弾性体にも十分均等な伸張力が与えられ手摺表面が平滑で違和感がなく、また装置も小型化する。さらにローラチェーンを使用しているのでスプロケット駆動ができ、従来ありがちだったステップとの不同期や滑りがない安定した走行が得られる。
【発明を実施するための最良の形態】
【０００８】以下、この発明の実施の形態に基づいて説明する。図１は、高速部手摺ローラ断面図である。図２は、高速部補助ローラ断面図である。図３は、低速部ローラ断面図である。図４は、低速部ローラチェーン側面図である。図５は、高速部ローラチェーン側面図である。図６は、中間高速乗客コンベアの移動手摺の端部側側面図である。図７は、特許文献に示す従来の中間加速コンベアの移動手摺の概略図である。【０００９】図１において、移動手摺方向に配され無端状に循環移動するローラチェーン８の２リンク毎の片側に手摺ローラピン６ｂに軸支され回転自在な手摺ローラ７と、手摺ローラ７を回転可能に案内するコの字状の手摺ローラガイド５を有し、手摺ローラ部のローチェーン８のリンクの両外側に手摺ローラピン６ｂで軸支され手摺側に向けられ回転自在なローラアタッチメント３と、乗客が掴む移動手摺を伸縮自在な弾性体１とし、弾性体１に付属する弾性体金具２を固定する。【００１０】図１，２，５において、隣接する手摺ローラ７間の中間の１リンクに手摺ローラ７と反対側に補助ローラピン６ａで軸支され回転自在な補助ローラ１０と、補助ローラ１０を回転可能に案内するコの字状の補助ローラガイド４を有している。手摺ローラガイド５と、補助ローラガイド４は、手摺支持材９で支持固定されている。【００１１】図６において、移動手摺上部が右端部方向へ走行している場合について述べる。高速部では、無端状のローラチェーン８は、側面から見て一直線になり、ローラチェーン８の外側に１リンク毎に交互に配された手摺ローラ７と補助ローラ１０は、手摺支持材９に固定されたコの字状の手摺ローラガイド５と、補助ローラガイド４に回転可能に案内される。このとき隣接する手摺ローラ７間の距離も最大となり、またローラアタッチメント３に固定された弾性体金具２間の距離も最大となり移動手摺速度も最大となる。移動手摺を構成する伸縮自在な弾性体１の伸張度も最大となる。高速部では手摺装置の上下方向の大きさは最小になる。【００１２】距離の長い高速部から変速部へと移行した移動手摺は、側面から見て、補助ローラガイド４は下側方向へ向かい手摺ローラガイドと徐々に離間する。このとき隣接する手摺ローラ７間も徐々に狭くなりローラアタッチメント３に固定された弾性体金具２間も徐々に狭くなり移動手摺速度も遅くなっていく。【００１３】変速部から低速部へと移行した移動手摺は、隣接する手摺ローラ７間の距離も最小となり移動手摺速度も最小となり弾性体１の伸張度も最小になる。図３は低速部ローラ断面、図４は低速部ローラチェーン側面を示している。端部ループ部に達した移動手摺はループ形状に沿ってループ下側端部まで低速で移行する【００１４】低速でループ下側端部に移行した移動手摺は、帰路側変速部に入り徐々に手摺ローラガイド５と補助ローラガイド４との間隔を近づけて隣接する手摺ローラ７間の距離も大きくなり弾性体１も伸張し移動速度も速くなっていく。【００１５】帰路側変速部から帰路側高速部へ移行した移動手摺は、ローラチェーン８が一直線上となり隣接する手摺ローラ７間の距離も最大となって弾性体１も最大に伸張し移動速度も最大となる。ローラチェーン８が一直線になるこの区間に駆動スプロケットを設けることにより滑りのない安定した走行が得られる。【００１６】以上のように構成した中間高速乗客コンベアの移動手摺は簡単な構造で低速から高速へ各ガイド間の間隔を変化させて円滑な加減速が得られ、また手摺表面も加減速しても連続性のある違和感のないものが提供できる。
【図面の簡単な説明】
【００１７】
【図１】は、高速部手摺ローラ断面図である。
【図２】は、高速部補助ローラ断面図である。
【図３】は、低速部ローラ断面図である。
【図４】は、低速部ローラチェーン側面図である。
【図５】は、高速部ローラチェーン側面図である。
【図６】は、中間高速乗客コンベアの移動手摺の端部側側面図である。
【図７】は、特許文献に示す従来の中間加速コンベアの移動手摺の概略図である。
【符号の説明】
【００１８】１    弾性体
２    弾性体金具
３    ローラアタッチメント
４    補助ローラガイド
５    手摺ローラガイド
６ａ  補助ローラピン
６ｂ  手摺ローラピン
７    手摺ローラ
８    ローラチェーン
９    手摺支持材
１０  補助ローラ
【図１】
2009256092.tif 000003
【図２】
2009256092.tif 000004
【図３】
2009256092.tif 000005
【図４】
2009256092.tif 000006
【図５】
2009256092.tif 000007
【図６】
2009256092.tif 000008
【図７】
2009256092.tif 000009